(57)【要約】【課題】    必要に応じ、装着者の爪につけ爪を自由に着脱できるつけ爪セットを提供する。【解決手段】装着者の指の爪に取り付けられる取付具と、取付具に着脱自在に取り付けられるつけ爪と、を備えてなるつけ爪セットであって、取付具は、指の爪に裏面側が取り付けられると共に、取付具係止手段を表面側に有し、つけ爪は、取付具係止手段に係脱自在に係止されるつけ爪係止手段を有するものである、つけ爪セットである。取付具係止手段に対するつけ爪係止手段の相対的な係止位置が、指の爪が伸びる方向である伸長方向に関して少なくとも２以上存するものであってもよい。【選択図】  図２
2008029652.tif 000002
【特許請求の範囲】
【請求項１】
装着者の指の爪に取り付けられる取付具と、取付具に着脱自在に取り付けられるつけ爪と、を備えてなるつけ爪セットであって、
取付具は、指の爪に裏面側が取り付けられると共に、取付具係止手段を表面側に有し、
つけ爪は、取付具係止手段に係脱自在に係止されるつけ爪係止手段を有するものである、つけ爪セット。
【請求項２】
取付具係止手段に対するつけ爪係止手段の相対的な係止位置が、指の爪が伸びる方向である伸長方向に関して少なくとも２以上存するものである、請求項１に記載のつけ爪セット。
【請求項３】
取付具は、指の爪に取り付けられた状態で爪の伸長に合わせて爪切りにて切断可能である、請求項２に記載のつけ爪セット。
【請求項４】
取付具係止手段及びつけ爪係止手段のいずれか一方の手段が前記伸長方向に対して略平行な凸条を含んでなり、いずれか他方の手段が前記伸長方向に関して相対移動可能に該凸条に係合可能な凹溝を含んでなるものである、請求項２又は３に記載のつけ爪セット。
【請求項５】
凸条と凹溝とが互いに係合したとき、取付具係止手段及びつけ爪係止手段のいずれか一方の手段が他方の手段に向けて突出する第１突起を有すると共に、他方の手段が該第１突起を収容する第１窪みを前記伸長方向に複数有し、該第１突起が該第１窪みに収容されることで取付具係止手段に対してつけ爪係止手段が相対的に係止されるものである、請求項４に記載のつけ爪セット。
【請求項６】
凸条と凹溝とが互いに係合したとき、取付具係止手段に対してつけ爪係止手段がつけ爪の表面と垂直方向に相対的に移動することが所定範囲内に制限されるものである、請求項４又は５に記載のつけ爪セット。
【請求項７】
取付具係止手段及びつけ爪係止手段のいずれか一方の手段に他方の手段に向けて突出する第２突起が形成されており、該他方の手段には該第２突起を収容する第２窪みが、前記伸長方向に関して所定の間隔を隔てて形成されているものである、請求項２又は３に記載のつけ爪セット。
【請求項８】
前記第２突起を前記第２窪みが収容したとき、取付具係止手段に対してつけ爪係止手段がつけ爪の表面と垂直方向に相対的に移動することが所定範囲内に制限されるものである、請求項７に記載のつけ爪セット。
【請求項９】
つけ爪が、つけ爪の表面を有するつけ爪本体と、つけ爪本体に取り付けられつけ爪係止手段を有するつけ爪取付部と、を有してなるものである、請求項１乃至８のいずれか１に記載のつけ爪セット。
【請求項１０】
請求項１乃至９のいずれか１に記載のつけ爪セットを構成する取付具。
【請求項１１】
請求項１乃至９のいずれか１に記載のつけ爪セットを構成するつけ爪。
【請求項１２】
請求項９に記載のつけ爪セットを構成するつけ爪取付部。
【請求項１３】
請求項９に記載のつけ爪セットを構成するつけ爪取付部と、取付具と、を含む、つけ爪取付器。
【発明の詳細な説明】
【技術分野】
【０００１】
本発明は、つけ爪セットに関し、より詳細には、自分の爪につけ爪を自由に着脱できるつけ爪セットに関する。このため本発明のつけ爪セットを用いれば、つけ爪を装飾目的等のために取り付けたい時には自分の爪につけ爪を取り付けると共に、家事等を行う場合につけ爪が邪魔になるとき等には自分の爪からつけ爪を取り外すことを、自由に行うことができる。
【背景技術】
【０００２】
近年、図柄や模様を描かれたり美しい形状に成形されたつけ爪が、爪をお洒落に装飾する等の目的で多用されている（例えば、特許文献１、特許文献２）。
例えば、特許文献１には、「つけ爪本体を装着した後の成形作業をほとんど必要としない装飾用つけ爪を提供することを目的」（特許文献１の発明の詳細な説明中、段落番号０００５）として発明された「合成樹脂により成形されたつけ爪本体を指の爪に装着することにより、指の爪を装飾する装飾用つけ爪であって、つけ爪本体の先端部を予め円弧状に成形したもの」（特許文献１の発明の詳細な説明中、段落番号０００６）が開示されている。この特許文献１に開示のつけ爪は、「指の爪につけ爪本体を装着した後、ハサミやヤスリ等の道具を使用して先端部を成形する作業をほとんど必要としないため、短時間で指の爪につけ爪することができる」（特許文献１の発明の詳細な説明中、段落番号００１１）という効果を奏するものである。
また、特許文献２には、「従来は、人工爪の表面にしかデザインの表現方法がなかったつけ爪に対して、奥行きを出し、空間感のある表現方法を付加して、人工爪に実用性と新規性を提供する」（特許文献２の要約書中の課題）ために発明された「透明部材で湾曲した爪状のネイルチップ（１）と、ネイルチップ（１）の内部（５）に、装着可能な装飾板（２）を設けた付け爪。ネイルチップの内部空間と表面部材上でアートに多面性を創り、付加価値をプラスすることを特徴とする」（特許文献２の要約書中の解決手段）つけ爪が開示されている。
【０００３】
【特許文献１】特開２００５−８１１１８号公報（例えば、発明の詳細な説明中、段落番号０００２〜００１１等）
【特許文献２】特開２００５−２３０５０１号公報（例えば、要約書中の課題及び解決手段等）
【発明の開示】
【発明が解決しようとする課題】
【０００４】
このような特許文献１及び特許文献２に開示されたつけ爪は、装着者の爪につけ爪を装着する際の手間や作業を軽減したり（特許文献１）、つけ爪の美感を向上させること（特許文献２）はできるものの、装着者の爪につけ爪を装着するのは接着剤を用いた接着等によるので、一度、装着者の爪につけ爪を装着すると、装着者が家事を行う場合等のようにつけ爪が邪魔になるようなときにも、装着者の爪からつけ爪を取り外し、再び取り付けるといったことを行うことができず、不便であった。
【０００５】
そこで、本発明においては、必要に応じ、装着者の爪につけ爪を自由に着脱できるつけ爪セットを提供することを目的とする。
【課題を解決するための手段】
【０００６】
本発明のつけ爪セット（以下、「本セット」という。）は、装着者の指の爪に取り付けられる取付具と、取付具に着脱自在に取り付けられるつけ爪と、を備えてなるつけ爪セットであって、取付具は、指の爪に裏面側が取り付けられると共に、取付具係止手段を表面側に有し、つけ爪は、取付具係止手段に係脱自在に係止されるつけ爪係止手段を有するものである、つけ爪セットである。
【０００７】
本セットは、装着者の指の爪に取り付けられる取付具と、取付具に着脱自在に取り付けられるつけ爪と、を備えてなる。そして、取付具は、相対する表面と裏面（装着者の指の爪に面する面）とを有しており、指の爪に裏面側が取り付けられると共に、取付具係止手段を表面側に有する。さらに、つけ爪は、取付具の表面側に設けられる取付具係止手段に係脱自在に係止されるつけ爪係止手段を有する。
このため装着者の指の爪に裏面側が取り付けられた取付具が表面側に有する取付具係止手段に、つけ爪のつけ爪係止手段が係脱自在（取付及び取り外しが自在）に係止されるので、装着者の指の爪に取り付けられた取付具に対しつけ爪を取り付けたり取り外すことを自由に行うことができる。即ち、本セットは、装着者の必要に応じ、装着者の爪につけ爪を自由に着脱できるつけ爪セットである。なお、指の爪に取付具を取り付ける方法は、種々の方法が用いられてよく何ら制限されるものではないが、例えば、従来のつけ爪を装着者の爪に取り付けるために用いられてきた方法（例えば、接着剤による接着、粘着テープによる貼着等を例示できる。）を用いるようにしてもよい。
【０００８】
取付具係止手段に対するつけ爪係止手段の相対的な係止位置が、指の爪が伸びる方向である伸長方向に関して少なくとも２以上存するもの（以下、「伸長調節本セット」という。）であってもよい。
装着者の爪は、先端に向かって自然に伸びてゆくものであるから、装着者の爪に取り付けられた取付具に対するつけ爪の相対的位置は、装着者の爪の伸長に合わせて変化されるべきである（装着者の指に対するつけ爪の相対的位置は一定している方が見栄えが良いので、装着者の爪の伸長に合わせて爪の先端方向に移動する取付具に対するつけ爪の相対的位置は伸長方向に関して変化する。）。従って、取付具に対するつけ爪の相対的位置が伸長方向に関し変化可能なように、取付具係止手段に対するつけ爪係止手段の相対的な係止位置が伸長方向に関して少なくとも２以上存するようにしてもよい。こうすれば装着者の爪の伸長に合わせ、取付具係止手段に対するつけ爪係止手段の相対的な係止位置を伸長方向に関し調節することができる。
【０００９】
伸長調節本セットの場合、取付具は、指の爪に取り付けられた状態で爪の伸長に合わせて爪切りにて切断可能であってもよい。
装着者の爪は、装着者の爪の伸長に合わせて先端側から爪切りにて切断されるが、この爪の切断において、装着者の爪に取り付けられた取付具も爪切りにて切断可能であれば、指の爪に取り付けられた取付具を継続して使用（つけ爪が取り付けられる限り）することができる（もし、取付具が爪切りにて切断不可能であれば、爪の切断に取付具が邪魔になるので、取付具を装着者の爪から取り外す必要がある。通常、取付具を装着者の爪から取り外すと、その取り外し工程において取付具が劣化等して再使用できなくなることがある。）。
なお、取付具を爪切りにて切断可能にするには、取付具の強度や硬度を装着者の爪と同等又はそれ以下にすればよく、取付具を樹脂材料（例えば、ポリエチレン、ポリプロピレン、ポリエチレンテレフタレート等）やゴム材料等によって板状又は帯状に形成してもよい。
【００１０】
伸長調節本セットの場合、取付具係止手段及びつけ爪係止手段のいずれか一方の手段が前記伸長方向に対して略平行な凸条を含んでなり、いずれか他方の手段が前記伸長方向に関して相対移動可能に該凸条に係合可能な凹溝を含んでなるもの（以下、「凹溝凸条本セット」という。）であってもよい。
こうすることで取付具係止手段及びつけ爪係止手段のいずれか一方の手段が凸条（指の爪が伸びる方向である伸長方向に対して凸条ののびる方向が略平行に形成されている）を有し、取付具係止手段及びつけ爪係止手段のいずれか他方の手段（該一方の手段とは反対の手段）が凹溝を有し、凹溝は凸条に対して前記伸長方向に関して相対移動可能に係合するので、互いに係合可能な凹溝及び凸条という簡単な構成により、取付具係止手段に対するつけ爪係止手段の相対的な係止位置を伸長方向に関して少なくとも２以上存するよう容易にすることができる。
【００１１】
凹溝凸条本セットの場合、凸条と凹溝とが互いに係合したとき、取付具係止手段及びつけ爪係止手段のいずれか一方の手段が他方の手段に向けて突出する第１突起を有すると共に、他方の手段が該第１突起を収容する第１窪みを前記伸長方向に複数有し、該第１突起が該第１窪みに収容されることで取付具係止手段に対してつけ爪係止手段が相対的に係止されるものであってもよい。
凹溝凸条本セットでは、上述のように凹溝は凸条に対して前記伸長方向に関して相対移動可能に係合するので、そのままでは取付具係止手段に対してつけ爪係止手段が前記伸長方向に関して相対的に不意に移動することがある。かかる不意の相対移動を防止又は減少させるため、取付具係止手段及びつけ爪係止手段のいずれか一方の手段が他方の手段に向けて突出する第１突起を有すると共に、他方の手段が該第１突起を収容する第１窪みを前記伸長方向に複数有し、該第１突起が該第１窪みに収容されることで取付具係止手段に対してつけ爪係止手段が相対的に係止されるようにしてもよい（なお、ここにいう取付具係止手段及びつけ爪係止手段の「一方の手段」及び「他方の手段」は、それぞれ上記した凸条を含む「一方の手段」と、凹溝を含む「他方の手段」と、は必ずしも対応しない。即ち、ここにいう第１突起を有する「一方の手段」が凸条を含み、第１窪みを有する「他方の手段」が凹溝を含む場合のみならず、ここにいう第１突起を有する「一方の手段」が凹溝を含み、第１窪みを有する「他方の手段」が凸条を含む場合もあり得る。）。また、他方の手段が該第１突起を収容する第１窪みを前記伸長方向に複数有するので、第１突起が第１窪みに収容される位置が前記伸長方向に複数存し、取付具係止手段に対するつけ爪係止手段の相対的な係止位置を伸長方向に関して少なくとも２以上存するようにすることができる。
【００１２】
凹溝凸条本セットの場合、凸条と凹溝とが互いに係合したとき、取付具係止手段に対してつけ爪係止手段がつけ爪の表面と垂直方向に相対的に移動することが所定範囲内に制限されるものであってもよい。
こうすることで凸条と凹溝とが互いに係合することで、装着者の爪に取り付けられた取付具が有する取付具係止手段に対し、つけ爪が有するつけ爪係止手段がつけ爪の表面と垂直方向（即ち、装着者の爪から離れる方向）に相対的に移動することが所定範囲内に制限されるので、凹溝凸条本セットを構成するつけ爪がつけ爪の表面と垂直方向に脱落することを有効に防止することができる。
【００１３】
伸長調節本セットの場合、取付具係止手段及びつけ爪係止手段のいずれか一方の手段に他方の手段に向けて突出する第２突起が形成されており、該他方の手段には該第２突起を収容する第２窪みが、前記伸長方向に関して所定の間隔を隔てて形成されているもの（以下、「第２突起窪み本セット」という。）であってもよい。
こうすることで取付具係止手段及びつけ爪係止手段のいずれか一方の手段に他方の手段に向けて突出するよう形成された第２突起が、取付具係止手段及びつけ爪係止手段のいずれか他方の手段（該一方の手段とは反対の手段）に前記伸長方向に関して所定の間隔を隔てて形成された第２窪みに収容されるので、突起と窪みという簡単な構成により、前記伸長方向に関して所定の間隔を隔てて形成された第２窪みのうちいずれに第２突起を収容するかに応じ、取付具係止手段に対するつけ爪係止手段の相対的な係止位置を伸長方向に関して少なくとも２以上存するようにすることができる。
【００１４】
第２突起窪み本セットの場合、前記第２突起を前記第２窪みが収容したとき、取付具係止手段に対してつけ爪係止手段がつけ爪の表面と垂直方向に相対的に移動することが所定範囲内に制限されるものであってもよい。
こうすることで第２突起を第２窪みが収容することで、装着者の爪に取り付けられた取付具が有する取付具係止手段に対し、つけ爪が有するつけ爪係止手段がつけ爪の表面と垂直方向（即ち、装着者の爪から離れる方向）に相対的に移動することが所定範囲内に制限されるので、第２突起窪み本セットを構成するつけ爪がつけ爪の表面と垂直方向に脱落することを有効に防止することができる。
【００１５】
つけ爪が、つけ爪の表面を有するつけ爪本体と、つけ爪本体に取り付けられつけ爪係止手段を有するつけ爪取付部と、を有してなるものであってもよい。
本セットは、上述の通り、装着者の指の爪に取り付けられる取付具と、取付具に着脱自在に取り付けられるつけ爪と、を備えてなるが、汎用的に市場に提供されている一般的なつけ爪も本セットを構成することで装着者の爪に自由に着脱できるようにすれば便利である。かかる汎用的に市場に提供されている一般的なつけ爪を、取付具が表面側に有する取付具係止手段に係脱自在に取り付けるには、つけ爪係止手段を有するつけ爪取付部を一般的なつけ爪に取り付けるようにすればよい。即ち、この場合では、本セットを構成するつけ爪が、つけ爪の表面を有するつけ爪本体（つけ爪本体は、汎用的に市場に提供されている一般的なつけ爪が該当する。）と、つけ爪本体（汎用的に市場に提供されている一般的なつけ爪）に取り付けられつけ爪係止手段を有するつけ爪取付部と、を有してなるようにすれば、汎用的に市場に提供されている一般的なつけ爪（つけ爪本体）に取り付けられるつけ爪取付部が有するつけ爪係止手段が取付具係止手段に係脱自在に係止されることで、一般的なつけ爪を装着者の爪に自由に着脱できるようにすることができる。
【００１６】
取付具とつけ爪とが一緒になった本セットとして販売等が行われてもよいが、取付具とつけ爪とが別々に販売等されてもよい。
また、汎用的に市場に提供されている一般的なつけ爪に適用可能なつけ爪取付部はそれのみとして販売されてもよく、さらに、汎用的に市場に提供されている一般的なつけ爪は別途購入されてもよいので、つけ爪取付部と取付具とを含むつけ爪取付器として販売されてもよい。
【発明を実施するための最良の形態】
【００１７】
以下、本発明の実施の形態を図面を参照して説明する。しかしながら、これらによって本発明は何ら制限されるものではない。
【００１８】
（第１実施形態）
図１は、第１実施形態の本発明のつけ爪セット（本セット）１１が、装着者の手の指１０１（ここでは具体的には人差し指）の爪１０３に装着された状態を示す平面図（本セット１１を構成するつけ爪２１の表面２３と垂直方向から見たところを示している。）である。図２は図１のＡーＡ端面図であり、図３は図２の円Ｃ中の拡大端面図であり、図４は図１のＢーＢ端面図である。そして、図５は取付具３１の詳細図（図５（ａ）は取付具３１の平面図（つけ爪２１に面する表面３３ａ側から見たところを示している。）であり、図５（ｂ）は図５（ａ）のＤ−Ｄ断面図であり、図５（ｃ）は図５（ａ）のＥ−Ｅ断面図である。）である。図６はつけ爪２１の詳細図（図６（ａ）はつけ爪２１の底面図（取付具３１に面する裏面２４側から見たところを示している。）であり、図６（ｂ）はつけ爪２１の平面図（表面２３側から見たところを示している。）である。）であり、図７は図６（ａ）の断面図（図７（ａ）は図６（ａ）のＦ−Ｆ断面図であり、図７（ｂ）は図６（ａ）のＧ−Ｇ断面図である。）である。図１乃至図７を参照して本セット１１について説明する。
【００１９】
本セット１１は、指１０１の爪１０３に接着剤により接着され取り付けられる取付具３１と、取付具３１に着脱自在に取り付けられるつけ爪２１と、を備えてなるつけ爪セットである。
【００２０】
取付具３１は、全体が樹脂材料（例えば、軟かいポリエチレン等）により一体に形成された板状部材により構成されてなり、特に図５に示すように、長方形の角部を丸めた形状を両主表面（表面３３ａ及び裏面３３ｂ）が略なす板状部３３と、板状部３３の表面３３ａがなす該長方形の長辺（図５（ａ）及び図５（ｂ）中に辺３３ｈ１、３３ｈ２として示す。）に略平行に形成された凸条３５（ここでは板状部３３の表面３３ａがなす該長方形の両長辺から略等しい距離に形成されている。）と、凸条３５の上面から突出するように等間隔ｄ（図５（ｃ））にて形成された第１突起３７ａ、３７ｂ、３７ｃと、を有している。凸条３５は、板状部３３の表面３３ａがなす該長方形の両長辺に垂直な断面（例えば、図４や図５（ｂ））においてはいずれの位置も略同じ断面形状を有しており、該断面形状は、等脚台形の上底と下底とのうち短い方が板状部３３の表面３３ａに連結された形状をほぼなしている。また、第１突起３７ａ、３７ｂ、３７ｃは、いずれも同じ形状で間隔ｄにて、板状部３３の表面３３ａがなす該長方形の両長辺に垂直な平面に略属するように突条に形成されている。板状部３３の表面３３ａがなす該長方形の両長辺が爪１０３の伸長方向に沿うよう、板状部３３の裏面３３ｂが指１０１の爪１０３に接着剤により接着され取り付けられる。
【００２１】
つけ爪２１は、汎用的に市場に提供されている一般的なつけ爪と同様、つけ爪２１の表面２３には図１に示すように図柄２２が描かれている（なお、図１以外の図には、図柄２２の図示を省略している。）。また、つけ爪２１は、汎用的に市場に提供されている一般的なつけ爪に比べると、特に図６及び図７に示すように、裏面２４側に凹溝２５及び第１窪み２７ａ、２７ｂ、２７ｃ、２７ｄ、２７ｅ、２７ｆが形成されている点が異なる。
つけ爪２１は、汎用的に市場に提供されている一般的なつけ爪を形成する材料と同様の材料（例えば、樹脂材料）により一体的に形成された後、表面２３に図柄２２を描くことで構成される。
【００２２】
凹溝２５は、つけ爪２１の裏面２４に、略真っ直ぐな溝形状に形成されており、その長手方向に垂直な断面（例えば、図４や図７（ｂ））においてはいずれの位置も略同じ断面形状を有しており、該断面形状は、等脚台形の上底と下底とのうち短い方が裏面２４に連結された形状をほぼなしている。そして、図４に示すように、板状部３３の凸条３５の長手方向を凹溝２５の長手方向に一致させた状態で、凹溝２５の開放された一端２５ｐから板状部３３の凸条３５を挿入することで凹溝２５に凸条３５を収容することができる。一方、このようにして凹溝２５に凸条３５を収容した状態では、両長手方向（凸条３５の長手方向と凹溝２５の長手方向）に対して垂直な断面（例えば、図４）において凸条３５が形成する等脚台形の上底と下底とのうち長い方の長さＷ１は、凹溝２５が形成する等脚台形の上底と下底とのうち短い方の長さＷ２よりも長い（Ｗ１＞Ｗ１。図４参照。）ので、凸条３５に対して凹溝２５がつけ爪２１の表面２３と垂直方向（図３及び図４中、矢印Ｊにて示した）に相対的に移動することが制限される。
【００２３】
第１窪み２７ａ、２７ｂ、２７ｃ、２７ｄ、２７ｅ、２７ｆは、いずれも同じ形状で間隔ｄ（特に図７（ａ）参照。なお、間隔ｄは、第１突起３７ａ、３７ｂ、３７ｃの間隔ｄに同じ。）にて、凹溝２５の上面２５ｂに凹溝２５の長手方向に垂直な平面に略属するように溝状に形成されている。第１窪み２７ａ、２７ｂ、２７ｃ、２７ｄ、２７ｅ、２７ｆは、第１突起３７ａ、３７ｂ、３７ｃを所定の位置にて収容することができ（このような第１窪み２７ａ、２７ｂ、２７ｃ、２７ｄ、２７ｅ、２７ｆへの第１突起３７ａ、３７ｂ、３７ｃの収容の状態は、図２及び図３に詳しく示されている。）、それによって凸条３５に対して凹溝２５が長手方向に関し相対的に係止される。このように第１窪み２７ａ、２７ｂ、２７ｃ、２７ｄ、２７ｅ、２７ｆへ第１突起３７ａ、３７ｂ、３７ｃが収容されることで、爪１０３に取り付けられた取付具３１に対しつけ爪２１が凹溝２５の長手方向に関し固定されるが、取付具３１に対しつけ爪２１に該長手方向に沿った力を加えれば、第１突起３７ａ、３７ｂ、３７ｃに対し第１窪み２７ａ、２７ｂ、２７ｃ、２７ｄ、２７ｅ、２７ｆに力が加わり、第１窪み２７ａ、２７ｂ、２７ｃ、２７ｄ、２７ｅ、２７ｆ及び／又は第１突起３７ａ、３７ｂ、３７ｃを弾性変形させて、凸条３５に対して凹溝２５を該長手方向に関し相対的に移動させることができ、取付具３１に対しつけ爪２１に該長手方向に沿って移動させることができる。このため凸条３５に凹溝２５を係合させたり抜き取ることで（係脱自在）、爪１０３に取り付けられた取付具３１に対し、つけ爪２１を着脱自在に取り付けることができる。
【００２４】
図８は、第１実施形態の本セット１１を指１０１の爪１０３に装着する方法を示す平面図である。図８を参照して、本セット１１を指１０１の爪１０３に装着する方法について説明する。
第１に、取付具３１の板状部３３の裏面３３ｂを、指１０１の爪１０３の所定位置に接着剤により接着することで、取付具３１を爪１０３に取り付ける（取付具３１を爪１０３に取り付けたところを図８は示している。）。
第２に、爪１０３に取り付けた取付具３１が有する凸条３５をつけ爪２１の凹溝２５が収容するように、凹溝２５の開放された一端２５ｐから凸条３５を挿入する（凸条３５に対するつけ爪２１の相対的な移動方向を図８中の矢印Ｍにて示した。）。
第３に、第１突起３７ａ、３７ｂ、３７ｃが、所定の第１窪み２７ａ、２７ｂ、２７ｃ、２７ｄ、２７ｅ、２７ｆへ収容されるよう、取付具３１に対してつけ爪２１をスライドさせる。
以上のようにして、図１乃至図４に示したように、第１実施形態の本セット１１を指１０１の爪１０３に装着することができる。
そして、つけ爪２１を取り外したい場合には、図１中の矢印Ｎ（図８中の矢印Ｍとは反対方向）にて示した方向への力をつけ爪２１に加えることで、上記したように、第１突起３７ａ、３７ｂ、３７ｃが第１窪み２７ａ、２７ｂ、２７ｃ、２７ｄ、２７ｅ、２７ｆへ係合した状態を解き、図８のようにつけ爪２１を、爪１０３に取り付けた取付具３１から取り外すことができる。即ち、つけ爪２１は、爪１０３に取り付けた取付具３１へ取り付けられたり取り外されることを自由に行うことができる（係脱自在）。
さらに、取付具３１が取り付けられた爪１０３が、先端方向に向かって伸びた場合には、爪１０３の伸びに伴って爪１０３及び取付具３１を先端側から爪切り（図示せず）にて一緒に切断すればよい。このときは図９（図２と同様の端面を示している。）に示すように、取付具３１は爪１０３の先端方向に向かって移動するので、つけ爪２１の爪１０３に対する位置が不自然とならないように（できる限りつけ爪２１の爪１０３に対する位置が変わらないように）、第１突起３７ａ、３７ｂ、３７ｃが係合する第１窪み２７ａ、２７ｂ、２７ｃ、２７ｄ、２７ｅ、２７ｆを選択するようにすればよい。具体的には、図２の状態においては第１突起３７ａ、３７ｂ、３７ｃは、第１窪み２７ｄ、２７ｅ、２７ｆにそれぞれ係合していたが、爪１０３の先端方向への伸びに伴って爪１０３及び取付具３１が先端側から切断され取付具３１が爪１０３の先端方向に向かって移動したことにより、図９の状態においては第１突起３７ａ、３７ｂ、３７ｃは、第１窪み２７ａ、２７ｂ、２７ｃに係合することで、図２と図９との間でつけ爪２１の爪１０３に対する位置はほぼ変わっていない。このように爪１０３が伸びても長期間継続して本セット１１を使用することができる。
【００２５】
以上説明したように、第１実施形態の本セット１１は、装着者の指１０１の爪１０３に取り付けられる取付具３１と、取付具３１に着脱自在に取り付けられるつけ爪２１と、を備えてなるつけ爪セットであって、取付具３１は、指１０１の爪１０３に裏面３３ｂ側が取り付けられると共に、取付具係止手段（ここでは凸条３５及び第１突起３７ａ、３７ｂ、３７ｃにより構成される。）を表面３３ａ側に有し、つけ爪２１は、取付具係止手段（凸条３５及び第１突起３７ａ、３７ｂ、３７ｃ）に係脱自在に係止されるつけ爪係止手段（ここでは裏面２４側に形成された凹溝２５及び第１窪み２７ａ、２７ｂ、２７ｃ、２７ｄ、２７ｅ、２７ｆにより構成される。）を有するものである、つけ爪セットである。
そして、取付具係止手段（凸条３５及び第１突起３７ａ、３７ｂ、３７ｃ）に対するつけ爪係止手段（凹溝２５及び第１窪み２７ａ、２７ｂ、２７ｃ、２７ｄ、２７ｅ、２７ｆ）の相対的な係止位置が、指１０１の爪１０３が伸びる方向である伸長方向（図１中、矢印Ｎ方向）に関して少なくとも２以上存する（第１突起３７ａ、３７ｂ、３７ｃが第１窪み２７ａ、２７ｂ、２７ｃ、２７ｄ、２７ｅ、２７ｆのいずれに係合するかにより、該係止位置が変化する。特に、図２及び図９を参照されたい。）ものである。
また、取付具３１は、ここでは軟かいポリエチレン等の樹脂材料で板状に形成されているので、指１０１の爪１０３に取り付けられた状態で爪１０３の伸長に合わせて爪切りにて切断可能である。
加えて、第１実施形態の本セット１１においては、取付具係止手段（凸条３５及び第１突起３７ａ、３７ｂ、３７ｃ）及びつけ爪係止手段（凹溝２５及び第１窪み２７ａ、２７ｂ、２７ｃ、２７ｄ、２７ｅ、２７ｆ）のいずれか一方の手段（ここでは取付具係止手段（凸条３５及び第１突起３７ａ、３７ｂ、３７ｃ））が前記伸長方向（指１０１の爪１０３が伸びる方向）に対して略平行な凸条３５を含んでなり、いずれか他方の手段（ここではつけ爪係止手段（凹溝２５及び第１窪み２７ａ、２７ｂ、２７ｃ、２７ｄ、２７ｅ、２７ｆ））が前記伸長方向（指１０１の爪１０３が伸びる方向）に関して相対移動可能に該凸条３５に係合可能な凹溝２５を含んでなるものである。
そして、凸条３５と凹溝２５とが互いに係合したとき、取付具係止手段（凸条３５及び第１突起３７ａ、３７ｂ、３７ｃ）及びつけ爪係止手段（凹溝２５及び第１窪み２７ａ、２７ｂ、２７ｃ、２７ｄ、２７ｅ、２７ｆ）のいずれか一方の手段（ここでは取付具係止手段（凸条３５及び第１突起３７ａ、３７ｂ、３７ｃ））が他方の手段（ここではつけ爪係止手段（凹溝２５及び第１窪み２７ａ、２７ｂ、２７ｃ、２７ｄ、２７ｅ、２７ｆ））に向けて突出する第１突起３７ａ、３７ｂ、３７ｃを有すると共に、他方の手段（ここではつけ爪係止手段（凹溝２５及び第１窪み２７ａ、２７ｂ、２７ｃ、２７ｄ、２７ｅ、２７ｆ））が該第１突起３７ａ、３７ｂ、３７ｃを収容する第１窪み２７ａ、２７ｂ、２７ｃ、２７ｄ、２７ｅ、２７ｆを前記伸長方向（指１０１の爪１０３が伸びる方向）に複数（ここでは６個）有し、該第１突起３７ａ、３７ｂ、３７ｃが該第１窪み２７ａ、２７ｂ、２７ｃ、２７ｄ、２７ｅ、２７ｆに収容されることで取付具係止手段（凸条３５及び第１突起３７ａ、３７ｂ、３７ｃ）に対してつけ爪係止手段（凹溝２５及び第１窪み２７ａ、２７ｂ、２７ｃ、２７ｄ、２７ｅ、２７ｆ）が相対的に係止されるものである。
また、凸条３５と凹溝２５とが互いに係合したとき、取付具係止手段（凸条３５及び第１突起３７ａ、３７ｂ、３７ｃ）に対してつけ爪係止手段（凹溝２５及び第１窪み２７ａ、２７ｂ、２７ｃ、２７ｄ、２７ｅ、２７ｆ）がつけ爪２１の表面２３と垂直方向（矢印Ｊ方向）に相対的に移動することが所定範囲内に制限されるものである。
なお、第１実施形態の本セット１１を構成する取付具３１及びつけ爪２１は、本セット１１として製造や販売等されてもよいが、取付具３１及びつけ爪２１それぞれ単独で製造や販売等されてもよい。
【００２６】
（第２実施形態）
図１０は、第２実施形態の本発明のつけ爪セット（本セット）５１を、装着者の手の指１０１（ここでは具体的には人差し指）の爪１０３に装着するところを示す斜視図である。図１１は、第２実施形態の本セット５１を構成する取付具７１を示す図である（図１１（ａ）は取付具７１の平面図（つけ爪６１に面する表面７３ａ側から見たところを示している。）であり、図１１（ｂ）は図１１（ａ）のＲ−Ｒ断面図であり、図１１（ｃ）は図１１（ａ）のＳ−Ｓ断面図である。）。図１２は、第２実施形態の本セット５１を構成するつけ爪６１を示す図である（図１２（ａ）はつけ爪６１の底面図（取付具７１に面する裏面６４側から見たところを示している。）であり、図１２（ｂ）は図１２（ａ）のＴ−Ｔ断面図である。）。
図１０乃至図１２を参照して、第２実施形態の本セット５１について説明する。
【００２７】
第２実施形態の本セット５１は、指１０１の爪１０３に接着剤により接着され取り付けられる取付具７１と、取付具７１に着脱自在に取り付けられるつけ爪６１と、を備えてなるつけ爪セットである。
【００２８】
取付具７１は、全体が柔軟なゴム材料（例えば、軟かい天然ゴム材料等）により一体に形成されてなり、特に図１０及び図１１に示すように、長方形の角部を丸めた形状を両主表面（表面７３ａ及び裏面７３ｂ）が略なす板状部７３と、板状部７３の表面７３ａがなす該長方形の長辺（図１１（ａ）及び図１１（ｂ）中に辺７３ｈ１、７３ｈ２として示す。）に略平行な２直線（仮想上の直線）Ｌ３、Ｌ４（図１１（ａ）参照）に沿って形成された第２突起７５ａ、７５ｂと、を有している。第２突起７５ａは直線Ｌ３に沿ってここでは４個形成されており、第２突起７５ｂは直線Ｌ４に沿ってここでは４個形成されている。そして、２直線Ｌ３、Ｌ４に対して垂直な直線Ｌ５、Ｌ６、Ｌ７及びＬ８（いずれも仮想上の直線）それぞれの上に一対の第２突起７５ａ、７５ｂが形成されている（直線Ｌ３、Ｌ４、Ｌ５、Ｌ６、Ｌ７及びＬ８の交点位置に第２突起７５ａ、７５ｂが形成されている。）。なお、ここでは直線Ｌ５、Ｌ６、Ｌ７及びＬ８の互いに隣接するもの同士の距離は全て同じ距離Ｄとされている（特に図１１（ｃ）参照）。第２突起７５ａ、７５ｂのいずれも同じ形状及び大きさであり、略球状をした先端部と、先端部と板状部７３とを連結する略円柱（先端部が形成する略球状の半径よりも小さな半径を有する略直円柱）状の脚部と、を有している。
板状部７３の表面７３ａがなす該長方形の両長辺が爪１０３の伸長方向に沿うよう、板状部７３の裏面７３ｂが指１０１の爪１０３に接着剤により接着され取り付けられる。
【００２９】
つけ爪６１は、汎用的に市場に提供されている一般的なつけ爪と同様、つけ爪６１の表面６３には図柄（図示せず）が描かれている。また、つけ爪６１は、汎用的に市場に提供されている一般的なつけ爪に比べると、特に図１２に示すように、第２突起７５ａ、７５ｂを収容する第２窪み７７ａ、７７ｂが裏面６４側に形成されていることが異なる。図１０に示すように取付具７１に対してつけ爪６１が取り付けられる際、第２窪み７７ａ、７７ｂは第２突起７５ａ、７５ｂに対応する位置に設けられており、取付具７１に対してつけ爪６１を図１０の矢印Ｚ方向に押し付けると、第２突起７５ａ、７５ｂそれぞれが、各々対応する第２窪み７７ａ、７７ｂに嵌入され収容されるようになっている。第２窪み７７ａ、７７ｂはいずれも同じ大きさかつ同じ形状に形成されているが、内部よりも入口が狭く形成されており、第２突起７５ａ、７５ｂが第２窪み７７ａ、７７ｂに嵌入される際には第２突起７５ａ、７５ｂの略球状をした先端部及び／又は第２窪み７７ａ、７７ｂが弾性変形しつつ第２突起７５ａ、７５ｂが該入口を通過するようになっているので、一度、第２突起７５ａ、７５ｂが第２窪み７７ａ、７７ｂに嵌入されると、ある程度以上の力を加えないと第２突起７５ａ、７５ｂの第２窪み７７ａ、７７ｂへの係合（嵌合）を解くことができない（従って、第２突起７５ａ、７５ｂは第２窪み７７ａ、７７ｂに、スナップによる嵌合と類似した嵌合を提供する。）。
なお、つけ爪６１は、汎用的に市場に提供されている一般的なつけ爪を形成する材料と同様の材料（例えば、樹脂材料）により一体的に形成された後、表面６３に図柄を描くことで構成されてもよい。
【００３０】
このような第２実施形態の本セット５１においては、第２突起７５ａ、７５ｂの略球状をした先端部及び／又は第２窪み７７ａ、７７ｂを弾性変形させることで第２突起７５ａ、７５ｂを第２窪み７７ａ、７７ｂに嵌入させたり、第２窪み７７ａ、７７ｂに嵌入された第２突起７５ａ、７５ｂを第２窪み７７ａ、７７ｂから抜き取ることができるので、指１０１の爪１０３に取り付けられた取付具７１に対してつけ爪６１を所定位置で押し付けたり（図１０中、矢印Ｚ）、取付具７１に係合したつけ爪６１を取付具７１から引き離すようにある程度以上の力を加えることで、爪１０３に取り付けられた取付具７１に対しつけ爪６１を自由に取り付けたり取り外したりすることができる。
このように第２実施形態の本セット５１では、第１に取付具７１の板状部７３の裏面７３ｂを爪１０３の所定位置に接着剤により接着し取付具７１を爪１０３に取り付け（取付具７１を爪１０３に取り付けたところを図１０は示している。）、第２に爪１０３に取り付けた取付具７１が有する第２突起７５ａ、７５ｂを第２窪み７７ａ、７７ｂに嵌入収容するよう爪１０３に取り付けられた取付具７１に対しつけ爪６１を所定位置で押し付け（図１０中、矢印Ｚ）、第２実施形態の本セット５１を指１０１の爪１０３に装着することができる。
そして、つけ爪６１を取り外したい場合には、つけ爪６１を取付具７１から引き離すように力を加えることで（図１０中、矢印Ｚとは反対方向）、上記したように、第２突起７５ａ、７５ｂが第２窪み７７ａ、７７ｂに嵌入係合した状態を解き、図１０のようにつけ爪６１を、爪１０３に取り付けた取付具７１から取り外すことができる。即ち、つけ爪６１は、爪１０３に取り付けた取付具７１へ取り付けられたり取り外されることを自由に行うことができる（係脱自在）。
さらに、取付具７１が取り付けられた爪１０３が、先端方向に向かって伸びた場合には、第１実施形態の本セット１１と同様、爪１０３の伸びに伴って爪１０３及び取付具７１を先端側から爪切り（図示せず）にて切断すればよい。このときも取付具７１は爪１０３の先端方向に向かって移動するので、つけ爪６１の爪１０３に対する位置が不自然とならないように（できる限りつけ爪６１の爪１０３に対する位置が変わらないように）、第２突起７５ａ、７５ｂが係合する第２窪み７７ａ、７７ｂを選択するようにすればよい。このように爪１０３が伸びても長期間継続して本セット５１を使用することができる。
【００３１】
以上説明したように、第２実施形態の本セット５１は、装着者の指１０１の爪１０３に取り付けられる取付具７１と、取付具７１に着脱自在に取り付けられるつけ爪６１と、を備えてなるつけ爪セットであって、取付具７１は、指１０１の爪１０３に裏面７３ｂ側が取り付けられると共に、取付具係止手段（ここでは第２突起７５ａ、７５ｂが構成する。）を表面７３ａ側に有し、つけ爪６１は、取付具係止手段（第２突起７５ａ、７５ｂ）に係脱自在に係止されるつけ爪係止手段（ここでは裏面６４側に形成された第２窪み７７ａ、７７ｂが構成する。）を有するものである、つけ爪セットである。
そして、取付具係止手段（第２突起７５ａ、７５ｂ）に対するつけ爪係止手段（第２窪み７７ａ、７７ｂ）の相対的な係止位置が、指１０１の爪１０３が伸びる方向である伸長方向（図１０中、矢印Ｎ方向）に関して少なくとも２以上存する（第２突起７５ａ、７５ｂが係合する第２窪み７７ａ、７７ｂを選択するようにすればよい。なお、第２突起７５ａ、７５ｂは全部で８個形成されているが、これら８個全部が第２窪み７７ａ、７７ｂに係止されることを要するものではなく、例えば、指１０１の根本側に位置するもの２×２＝４個のみを第２窪み７７ａ、７７ｂに係止させるようにしてもよい。）ものである。
また、取付具７１は、ここでは軟かいゴム材料により板状に形成されているので、指１０１の爪１０３に取り付けられた状態で爪１０３の伸長に合わせて爪切りにて切断可能である。
さらに、取付具係止手段（第２突起７５ａ、７５ｂ）及びつけ爪係止手段（第２窪み７７ａ、７７ｂ）のいずれか一方の手段（ここでは取付具係止手段）に他方の手段（ここではつけ爪係止手段）に向けて突出する第２突起７５ａ、７５ｂが形成されており、該他方の手段（ここではつけ爪係止手段）には該第２突起７５ａ、７５ｂを収容する第２窪み７７ａ、７７ｂが、前記伸長方向に関して所定の間隔（ここでは距離Ｄ）を隔てて形成されているものである。
そして、前記第２突起７５ａ、７５ｂを前記第２窪み７７ａ、７７ｂが収容したとき、取付具係止手段（第２突起７５ａ、７５ｂ）に対してつけ爪係止手段（第２窪み７７ａ、７７ｂ）がつけ爪６１の表面６３と垂直方向（図１０中の矢印Ｚとは反対方向）に相対的に移動することが所定範囲内に制限されるものである（第２突起７５ａ、７５ｂが第２窪み７７ａ、７７ｂに嵌入されると、ある程度以上の力を加えないと第２突起７５ａ、７５ｂの第２窪み７７ａ、７７ｂへの係合（嵌合）を解くことができない）。
なお、第２実施形態の本セット５１を構成する取付具７１及びつけ爪６１は、本セット５１として製造や販売等されてもよいが、取付具７１及びつけ爪６１それぞれ単独で製造や販売等されてもよい。
【００３２】
（第３実施形態）
第３実施形態の本セットは、上述した第１実施形態の本セット１１に比し、つけ爪２１がつけ爪８１となる点が異なるのみで、取付具は第１実施形態の取付具３１と同様である。このためここでは第１実施形態と異なる点であるつけ爪８１について説明し、第１実施形態と同様の点についての説明は省略する（必要があれば、第１実施形態の本セット１１に関する説明を参照されたい。）。
図１３は、第３実施形態の本セットに係るつけ爪８１を示す図（具体的には、図１３（ａ）はつけ爪８１の平面図であり、図１３（ｂ）はつけ爪８１の正面図（図１３（ａ）中の矢印Ｙ方向から見たところを示している。）である。）であり、図１４はつけ爪８１の詳細図（具体的には、図１４（ａ）はつけ爪８１の底面図（図１３（ｂ）中の矢印Ｘ３方向から見たところを示している。）であり、図１４（ｂ）は図１３（ａ）のＸ２−Ｘ２断面図であり、図１４（ｃ）は図１３（ａ）のＸ１−Ｘ１端面図である。）である。図１３及び図１４を参照して、第３実施形態の本セットに係るつけ爪８１について説明する。
【００３３】
つけ爪８１は、つけ爪８１の表面８３を有するつけ爪本体８５と、つけ爪本体８５に接着されて取り付けられたつけ爪取付部９１と、を有してなる。
つけ爪取付部９１は、上述した第１実施形態の本セット１１に含まれるつけ爪２１とは外郭がやや小さく厚みがやや薄いことに加え、さらに表面に図柄が描かれていないことが異なるが、人の指の爪の形状に似た板状部材によって形成されており、裏面９４側に凹溝２５及び第１窪み２７ａ、２７ｂ、２７ｃ、２７ｄ、２７ｅ、２７ｆが形成されている点はつけ爪２１と全く同様である。ここにつけ爪取付部９１に形成された凹溝２５及び第１窪み２７ａ、２７ｂ、２７ｃ、２７ｄ、２７ｅ、２７ｆは、上述した第１実施形態のつけ爪２１に形成された凹溝２５及び第１窪み２７ａ、２７ｂ、２７ｃ、２７ｄ、２７ｅ、２７ｆと形状、寸法及び構造の全てが同一であるので、これらつけ爪取付部９１が有する凹溝２５及び第１窪み２７ａ、２７ｂ、２７ｃ、２７ｄ、２７ｅ、２７ｆの説明は省略する（必要があれば、第１実施形態のつけ爪２１における凹溝２５及び第１窪み２７ａ、２７ｂ、２７ｃ、２７ｄ、２７ｅ、２７ｆに関する説明を参照されたい。）。つけ爪取付部９１は、汎用的に市場に提供されている一般的なつけ爪を形成する材料と同様の材料（例えば、樹脂材料）により一体的に形成されることができる。
つけ爪本体８５は、汎用的に市場に提供されている一般的なつけ爪と同様のものであり、表面８３には図柄２２が描かれている。
【００３４】
このような汎用的に市場に提供されている一般的なつけ爪と同様のつけ爪本体８５の裏面と、つけ爪取付部９１の表面と、を接着剤により接着し一体化することにより第３実施形態の本セットに係るつけ爪８１が形成されている。第３実施形態の本セットに係るつけ爪８１は、裏面９４側につけ爪２１と同じ凹溝２５及び第１窪み２７ａ、２７ｂ、２７ｃ、２７ｄ、２７ｅ、２７ｆが形成されていると共に、表面８３にはつけ爪２１と同様に図柄２２が描かれており、全体としてはつけ爪８１はつけ爪２１と同様に用いることができ、つけ爪８１は、爪１０３に取り付けた取付具３１へ取り付けられたり取り外されることを自由に行うことができる（係脱自在）。
このようにつけ爪取付部９１を用いることで、汎用的に市場に提供されている一般的なつけ爪（つけ爪本体８５）に取り付けられるつけ爪取付部９１が有するつけ爪係止手段（凹溝２５及び第１窪み２７ａ、２７ｂ、２７ｃ、２７ｄ、２７ｅ、２７ｆ）が取付具係止手段（凸条３５及び第１突起３７ａ、３７ｂ、３７ｃ）に係脱自在に係止されることで、一般的なつけ爪（つけ爪本体８５）を装着者の爪１０３に自由に着脱できるようにすることができる。
例えば、汎用的に市場に提供されている一般的なつけ爪（本発明にいうつけ爪本体８５）を準備し、該一般的なつけ爪（つけ爪本体８５）の裏面とつけ爪取付部９１の表面とを接着剤により接着し一体化することにより第３実施形態の本セットに係るつけ爪８１を形成する。そして、第３実施形態の本セットを構成する取付具３１の板状部３３の裏面３３ｂを、指１０１の爪１０３の所定位置に接着剤により接着することで、取付具３１を爪１０３に取り付ける。爪１０３に取り付けた取付具３１が有する凸条３５をつけ爪８１の凹溝２５が収容するように、凹溝２５の開放された一端２５ｐから凸条３５を挿入する。最後に、取付具３１の第１突起３７ａ、３７ｂ、３７ｃが、つけ爪取付部９１の第１窪み２７ａ、２７ｂ、２７ｃ、２７ｄ、２７ｅ、２７ｆへ収容されるよう、取付具３１に対してつけ爪８１をスライドさせる。このようにして、第１実施形態の本セット１１と同様、第３実施形態のつけ爪８１を指１０１の爪１０３に装着することができ、一般的なつけ爪（つけ爪本体８５）を装着者の爪１０３に自由に着脱できるようにすることができる。
【００３５】
以上説明したように、第３実施形態の本セットは、装着者の指１０１の爪１０３に取り付けられる取付具３１と、取付具３１に着脱自在に取り付けられるつけ爪８１と、を備えてなるつけ爪セットであって、取付具３１は、指１０１の爪１０３に裏面３３ｂ側が取り付けられると共に、取付具係止手段（ここでは凸条３５及び第１突起３７ａ、３７ｂ、３７ｃにより構成される。）を表面３３ａ側に有し、つけ爪８１は、取付具係止手段（凸条３５及び第１突起３７ａ、３７ｂ、３７ｃ）に係脱自在に係止されるつけ爪係止手段（ここでは裏面９４側に形成された凹溝２５及び第１窪み２７ａ、２７ｂ、２７ｃ、２７ｄ、２７ｅ、２７ｆにより構成される。）を有するものである、つけ爪セットである。
そして、取付具係止手段（凸条３５及び第１突起３７ａ、３７ｂ、３７ｃ）に対するつけ爪係止手段（凹溝２５及び第１窪み２７ａ、２７ｂ、２７ｃ、２７ｄ、２７ｅ、２７ｆ）の相対的な係止位置が、指１０１の爪１０３が伸びる方向である伸長方向（図１中、矢印Ｎ方向）に関して少なくとも２以上存する（第１突起３７ａ、３７ｂ、３７ｃが第１窪み２７ａ、２７ｂ、２７ｃ、２７ｄ、２７ｅ、２７ｆのいずれに係合するかにより、該係止位置が変化する。これは図２及び図９と同様である。）ものである。
また、取付具３１は、ここでは軟かいポリエチレン等の樹脂材料で板状に形成されているので、指１０１の爪１０３に取り付けられた状態で爪１０３の伸長に合わせて爪切りにて切断可能である。
加えて、第３実施形態の本セットにおいては、取付具係止手段（凸条３５及び第１突起３７ａ、３７ｂ、３７ｃ）及びつけ爪係止手段（凹溝２５及び第１窪み２７ａ、２７ｂ、２７ｃ、２７ｄ、２７ｅ、２７ｆ）のいずれか一方の手段（ここでは取付具係止手段（凸条３５及び第１突起３７ａ、３７ｂ、３７ｃ））が前記伸長方向（指１０１の爪１０３が伸びる方向）に対して略平行な凸条３５を含んでなり、いずれか他方の手段（ここではつけ爪係止手段（凹溝２５及び第１窪み２７ａ、２７ｂ、２７ｃ、２７ｄ、２７ｅ、２７ｆ））が前記伸長方向（指１０１の爪１０３が伸びる方向）に関して相対移動可能に該凸条３５に係合可能な凹溝２５を含んでなるものである。
そして、凸条３５と凹溝２５とが互いに係合したとき、取付具係止手段（凸条３５及び第１突起３７ａ、３７ｂ、３７ｃ）及びつけ爪係止手段（凹溝２５及び第１窪み２７ａ、２７ｂ、２７ｃ、２７ｄ、２７ｅ、２７ｆ）のいずれか一方の手段（ここでは取付具係止手段（凸条３５及び第１突起３７ａ、３７ｂ、３７ｃ））が他方の手段（ここではつけ爪係止手段（凹溝２５及び第１窪み２７ａ、２７ｂ、２７ｃ、２７ｄ、２７ｅ、２７ｆ））に向けて突出する第１突起３７ａ、３７ｂ、３７ｃを有すると共に、他方の手段（ここではつけ爪係止手段（凹溝２５及び第１窪み２７ａ、２７ｂ、２７ｃ、２７ｄ、２７ｅ、２７ｆ））が該第１突起３７ａ、３７ｂ、３７ｃを収容する第１窪み２７ａ、２７ｂ、２７ｃ、２７ｄ、２７ｅ、２７ｆを前記伸長方向（指１０１の爪１０３が伸びる方向）に複数（ここでは６個）有し、該第１突起３７ａ、３７ｂ、３７ｃが該第１窪み２７ａ、２７ｂ、２７ｃ、２７ｄ、２７ｅ、２７ｆに収容されることで取付具係止手段（凸条３５及び第１突起３７ａ、３７ｂ、３７ｃ）に対してつけ爪係止手段（凹溝２５及び第１窪み２７ａ、２７ｂ、２７ｃ、２７ｄ、２７ｅ、２７ｆ）が相対的に係止されるものである。
また、凸条３５と凹溝２５とが互いに係合したとき、取付具係止手段（凸条３５及び第１突起３７ａ、３７ｂ、３７ｃ）に対してつけ爪係止手段（凹溝２５及び第１窪み２７ａ、２７ｂ、２７ｃ、２７ｄ、２７ｅ、２７ｆ）がつけ爪８１の表面８３と垂直方向に相対的に移動することが所定範囲内に制限されるものである。
そして、第３実施形態の本セットにおいては、つけ爪８１が、つけ爪８１の表面８３を有するつけ爪本体８５と、つけ爪本体８５に取り付けられつけ爪係止手段（凹溝２５及び第１窪み２７ａ、２７ｂ、２７ｃ、２７ｄ、２７ｅ、２７ｆ）を有するつけ爪取付部９１と、を有してなるものである。
なお、第３実施形態の本セットを構成するつけ爪取付部９１、つけ爪本体８５及び取付具３１は、第３実施形態の本セットとして製造や販売等されてもよいが、つけ爪取付部９１と取付具３１とを含むつけ爪取付器として製造や販売等されてもよい。
【００３６】
このように本発明のつけ爪セット（本セット）を使用することで、つけ爪が不要のとき（例えば、家事等をする場合）には自由に取り外し、装飾等が必要なときにはつけ爪を自由に取り付けることができるので、つけ爪を破損等することを防止又は減少させることができると共に、つけ爪を取り外して指や爪そしてつけ爪を洗浄等することでこれらのものを清潔に保ち衛生的につけ爪を使用することができる。そして、つけ爪を着脱自在にすることで、種々のつけ爪を準備しておき、その中から目的や気分に応じてつけ爪を選択して使用することもできる。
【図面の簡単な説明】
【００３７】
【図１】第１実施形態の本発明のつけ爪セット（本セット）が、装着者の手の指の爪に装着された状態を示す平面図である。
【図２】図１のＡーＡ端面図である。
【図３】図２の円Ｃ中の拡大端面図である。
【図４】図１のＢーＢ端面図である。
【図５】第１実施形態の本セットを構成する取付具の詳細図である。
【図６】第１実施形態の本セットを構成するつけ爪の詳細図である。
【図７】図６（ａ）の断面図である。
【図８】第１実施形態の本セットを指の爪に装着する方法を示す平面図である。
【図９】取付具が取り付けられた爪が伸びた状態を示す端面図である。
【図１０】第２実施形態の本セットを装着者の手の指の爪に装着するところを示す斜視図である。
【図１１】第２実施形態の本セットを構成する取付具を示す図である。
【図１２】第２実施形態の本セットを構成するつけ爪を示す図である。
【図１３】第３実施形態の本セットに係るつけ爪を示す図である。
【図１４】第３実施形態の本セットに係るつけ爪の詳細図である。
【符号の説明】
【００３８】
１１                本セット（第１実施形態）
２１                つけ爪
２２                図柄
２３                表面
２４                裏面
２５                凹溝
２５ｂ              上面
２５ｐ              一端
２７ａ、２７ｂ、２７ｃ、２７ｄ、２７ｅ、２７ｆ  第１窪み
３１                取付具
３３                板状部
３３ａ              表面
３３ｂ              裏面
３３ｈ１、３３ｈ２  辺
３５                凸条
３７ａ、３７ｂ、３７ｃ  第１突起
５１                本セット（第２実施形態）
６１                つけ爪
６３                表面
６４                裏面
７１                取付具
７３                板状部
７３ａ              表面
７３ｂ              裏面
７３ｈ１、７３ｈ２  辺
７５ａ、７５ｂ      第２突起
７７ａ、７７ｂ      第２窪み
８１                つけ爪（第３実施形態）
８３                表面
８５                つけ爪本体
９１                つけ爪取付部
９４                裏面
１０１                指
１０３                爪
【図１】
2008029652.tif 000003
【図２】
2008029652.tif 000004
【図３】
2008029652.tif 000005
【図４】
2008029652.tif 000006
【図５】
2008029652.tif 000007
【図６】
2008029652.tif 000008
【図７】
2008029652.tif 000009
【図８】
2008029652.tif 000010
【図９】
2008029652.tif 000011
【図１０】
2008029652.tif 000012
【図１１】
2008029652.tif 000013
【図１２】
2008029652.tif 000014
【図１３】
2008029652.tif 000015
【図１４】
2008029652.tif 000016